(57)【特許請求の範囲】
【請求項１】
スイッチボデーに設けた揺動中心軸に操作ノブを支持し、該操作ノブによりスイッチユニットを操作してスイッチングするスイッチ装置において、
前記スイッチユニットと前記スイッチボデーとの間に雌雄の関係で嵌合する嵌合構造と、前記スイッチユニットから突出させた複数の端子とスイッチボデーにインサートされた複数のターミナルとの間に接合構造を設け、前記嵌合構造の嵌め合いと前記接合構造の接合とにより、前記スイッチボデーに前記スイッチユニットを位置決めして固定することを特徴とするスイッチ装置。
【発明の詳細な説明】
【０００１】
【発明の属する技術分野】
本発明は、スイッチボデーに設けた揺動中心軸に操作ノブを支持し、該操作ノブによりスイッチユニットを操作してスイッチングするスイッチ装置に関するものである。
【０００２】
【従来の技術】
上記したスイッチ装置は、図４に示すように予めスイッチユニットａを固定したプリント配線基板ｂを、操作ノブｃを支持するスイッチボデーｄに取り付けるようにしていた。スイッチユニットａの固定位置のバラツキに応じて、操作ノブｃの接点切換角のバラツキが生じる。このため、操作ノブｃを大きく操作しなければ接点が切換えられなかったり、僅かに操作しただけで接点が切換わってしまったりする場合があった。
【０００３】
【発明が解決しようとする課題】
しかしながら、操作ノブの接点切換角のバラツキを小さくするためには、スイッチボデー、プリント配線基板等の部品寸法のバラツキを抑えるとともに、スイッチユニット自体の接点の切換点のバラツキを小さく管理する必要がある。さらに、温度変化による寸法変動の少ない材料を選定する必要がある。このため、コスト高の要因となっていた。
本発明は上記した点に鑑みてなされたもので、スイッチボデーとスイッチユニットとを直接位置決めすることによりコスト低減が可能なスイッチ装置を提供することを目的とするものである。
【０００４】
【課題を解決するための手段】
上記目的を達成するための本発明のスイッチ装置は、スイッチボデーに設けた揺動中心軸に操作ノブを支持し、該操作ノブによりスイッチユニットを操作してスイッチングするスイッチ装置において、前記スイッチユニットと前記スイッチボデーとの間に雌雄の関係で嵌合する嵌合構造と、前記スイッチユニットから突出させた複数の端子とスイッチボデーにインサートされた複数のターミナルとの間に接合構造を設け、前記嵌合構造の嵌め合いと前記接合構造の接合とにより、前記スイッチボデーに前記スイッチユニットを位置決めして固定することを特徴とする。
【０００５】
【発明の作用及び効果】
記構成のスイッチ装置によれば、スイッチボデーとスイッチユニットとの間に設けた嵌合構造の嵌め合いにより、スイッチボデーに対するスイッチユニットの位置決めを行うとともに、スイッチユニットから突出させた複数の端子とスイッチボデーにインサートされた複数のターミナルとの間に設けた接合構造の接合により、プリント基板を介さずにスイッチボデーに対してスイッチユニットを直接位置決めして固定できる。このため、従来のようにプリント配線基板とスイッチボデー間の位置関係のバラツキを管理して、操作ノブの接点切換角のバラツキを小さくする必要がない。従って、本発明のスイッチ装置は、コスト低減に寄与することができる効果を有する。
【０００６】
【発明の実施の形態】
本発明の実施の１形態を添付図面を参照して説明する。図１は本実施形態に係るスイッチ装置の図２に於けるＡ−Ａ線断面図、図２は図１におけるＢ−Ｂ線断面図、図３は主要部品の斜視図である。スイッチホデー１の上面には支持筒２が形成されている。該支持筒２の内部は、２区画に別れており図１における手前側の区画３は、スイッチホデー１の上面壁を貫いて、スイッチホデー１内に連通している。そして、向こう側の区画４は、スイッチホデー１の上面壁を底面とする有底状となっている。
【０００７】
図２に示すように、支持筒２の上方から被せた操作ノブ５は、両側面に形成した軸支孔６，６に支持筒２の揺動中心軸部７，７を嵌めて揺動自在に支持されている。操作ノブ５には、上記区画３内からスイッチホデー１内に突出する操作アーム８が形成されている。また、区画４内に突出する筒部９が形成され、該筒部９内にはコイルスプリング１０とプッシャ１１が装入されている。該プッシャ１１はコイルスプリング１０の付勢力により、区画４の底面に形成した斜面１２に圧接している。該斜面１２は、揺動した操作ノブ５を自動復帰させるためのものである。
【０００８】
スイッチホデー１の上面壁には、図示しない電気回路に接続した複数のターミナル１３がインサートされている。そのターミナル１３は直角に屈曲され、スイッチホデー１内に突出している。また、区画４の下面には、位置決め用の嵌合突起１４が突成されている。
【０００９】
スイッチユニット２１は、スイッチケース２２内でコンタクトホルダ２３に保持された可動コンタクトを、固定接点上で摺動させて切換えるようにしたスライドスイッチである。スイッチケース２２の上面には、操作用の長孔２４が形成されている。また、側面には固定接点に接続された複数の端子２５が横一列状に突出している。各端子２５には、上記ターミナル１３を挿通する挿通孔２６が穿設されている。他側の側面には、嵌合孔２７を設けた位置決め用の突部２８が形成されている。
【００１０】
このスイッチユニット２１は、スイッチホデー１の下面から装入して、位置決め用の嵌合孔２７に嵌合突起１４を圧入し、スイッチホデー１に対する位置決めを行う。同時に操作ノブ５に設けた操作アーム８の下端を、長孔２４からコンタクトホルダ２３の係合穴２３ａに係合させるとともに、各端子２５の挿通孔２６にターミナル１３の下端部を挿通する。そして、各端子２５とターミナル１３とを半田付け等により接合する。この接合と、上記嵌合突起１４の嵌合孔２７に対する圧入により、スイッチユニット２１が所定位置に固定される。
【００１１】
上記スイッチ装置は操作ノブ５が揺動すると、操作アーム８に係合するコンタクトホルダ２３がスイッチケース２２内で摺動して接点を切換える。このとき、筒部９に装入されプッシャ１１は、区画４の斜面１２を上って、コイルスプリング１０の付勢力に抗して該筒部９内に退く。そして、操作ノブ５から手を放すと、コイルスプリング１０の付勢力によりプッシャ１１が斜面１２を下り、操作ノブ５が中立位置に自動復帰する。
【００１２】
上記したように、スイッチユニット２１のスイッチホデー１に対する位置決めは、位置決め用の嵌合孔２７に嵌合突起１４を圧入することにより直接行う。従って、嵌合孔２７及び嵌合突起１４の寸法管理により、位置決めのバラツキを小さく抑えることができる。そして、スイッチユニット２１自体の接点の切換点のバラツキを小さく管理することにより、操作ノブ５の接点切換角のバラツキを小さくすることができる。このため、操作ノブ５を大きく操作しなければ接点が切換えられなかったり、僅かに操作しただけで接点が切換わってしまったりするような不具合が発生することがない。
【００１３】
また、スイッチユニット２１から突出させた複数の端子２５とスイッチボデー１にインサートされた複数のターミナル１３との間に設けた接合構造の接合により、プリント基板を介さずにスイッチボデー１に対してスイッチユニット２１を固定するから、従来のようにプリント配線基板を介して、スイッチユニットをスイッチホデーに取り付ける構造のようにプリント配線基板とスイッチユニット間及びプリント配線基板とスイッチボデー間の位置関係のバラツキを考慮する必要がなく、製造コストの低減が可能になる。
【００１４】
上記した実施の形態では、スイッチホデー１に位置決め用の嵌合突起１４を設け、スイッチユニット２１に嵌合孔２７を設けたが、スイッチホデー１に嵌合孔を、スイッチユニット２１に嵌合突起を設ける嵌合構造であってもよい。
【図面の簡単な説明】
【図１】  スイッチ装置の図２に於けるＡ−Ａ線断面図である。
【図２】  図１におけるＢ−Ｂ線断面図である。
【図３】  主要部品の斜視図である。
【図４】従来例を示した断面図である。
【符号の説明】
１...スイッチホデー
５...操作ノブ
７，７...揺動中心軸
１３...ターミナル
１４...嵌合突起
２１...スイッチユニット
２５...端子
２７...嵌合孔
２８...突部
【図１】
0003889105.tif 000002
【図２】
0003889105.tif 000003
【図３】
0003889105.tif 000004
【図４】
0003889105.tif 000005